(57)【要約】【課題】羽根、及び羽根に他行する板部材が摩耗しづらい構成のフォーカルプレンシャッタを提供する。【解決手段】フォーカルプレンシャッタにおいて、第１開口部を有する地板と、前記第１開口部を開閉するよう移動可能に構成された第１羽根と、第２開口部を有し、前記地板とともに前記第１羽根を挟む位置に配置された板部材と、を備え、前記板部材の前記第１羽根側の面には凹凸加工が施されている構成とする。【選択図】図４
2018200448.tif 000002
【特許請求の範囲】
【請求項１】
第１開口部を有する地板と、
前記第１開口部を開閉するよう移動可能に構成された第１羽根と、
第２開口部を有し、前記地板とともに前記第１羽根を挟む位置に配置された板部材と、を備え、
前記板部材の前記第１羽根側の面には凹凸加工が施されている、
フォーカルプレンシャッタ。
【請求項２】
前記板部材の前記第１羽根側の面には、メッキ処理、塗装処理、及びコーティング処理の少なくともいずれかが施されている、
請求項１に記載のフォーカルプレンシャッタ。
【請求項３】
前記板部材の前記第１羽根側の面には、メッキ処理として無電解ニッケルメッキ、またはＰＴＦＥ潤滑ニッケルメッキが施されている、
請求項１または請求項２に記載のフォーカルプレンシャッタ。
【請求項４】
前記板部材の前記第１羽根側の面には、塗装処理としてフッ素系、グラファイト系、フェノール系、またはエポキシ系材料を用いた塗装が施されている、
請求項１から請求項３のいずれか１項に記載のフォーカルプレンシャッタ。
【請求項５】
前記板部材の前記第１羽根側の面には、コーティング処理としてＤＬＣコーティング、またはダイヤモンドコーティングが施されている、
請求項１から請求項４のいずれか１項に記載のフォーカルプレンシャッタ。
【請求項６】
前記第１開口部及び前記第２開口部を開閉するよう移動可能に構成された第２羽根と、
第３開口部を有し、前記板部材とともに前記第２羽根を挟む位置に配置された補助地板と、をさらに備え、
前記板部材の前記第２羽根側の面には凹凸加工が施されている、
請求項１から請求項５のいずれか１項に記載のフォーカルプレンシャッタ。
【請求項７】
前記板部材の前記第２羽根側の面には、前記板部材の前記第１羽根側の面と同様のメッキ処理、塗装処理、及びコーティング処理の少なくともいずれかが施されている、
請求項１から請求項６のいずれか１項に記載のフォーカルプレンシャッタ
【請求項８】
請求項１から請求項７のいずれかのフォーカルプレンシャッタを備える撮像装置。
【発明の詳細な説明】
【技術分野】
【０００１】
本発明の一態様は、カメラなどの撮像装置に用いられるフォーカルプレンシャッタなどに関する。
【背景技術】
【０００２】
羽根群によって開口部（画枠）を開閉することで撮像素子またはフィルムに対する露光を行うフォーカルプレンシャッタには、地板と補助地板との間に形成された羽根室に配置された羽根群を駆動機構部により駆動することで開口部の開閉状態を変化させ、露光が行われる構成のものがある。このようなフォーカルプレンシャッタでは、地板と補助地板との間を中間板で仕切り、地板と中間板との間に先羽根の羽根室を、中間板と補助地板との間に後羽根の羽根室を構成し、先羽根と後羽根とが動作する構成とすることがある。例えば特許文献１には、このようなフォーカルプレンシャッタが開示されている。
【先行技術文献】
【特許文献】
【０００３】
【特許文献１】特開２００１−２８１７３２号公報
【発明の概要】
【発明が解決しようとする課題】
【０００４】
上記構成のフォーカルプレンシャッタでは、先羽根及び後羽根が中間板に沿って動作するため、先羽根及び後羽根と中間板との間に摩擦が生じ、先羽根、後羽根、及び中間板が摩耗して摩耗粉が生じたりしていた。この摩耗粉は、撮像装置の撮像素子などに付着することがあり、撮像した画像の品質に影響を及ぼすことがあった。また、摩耗により先羽根及び後羽根の動作に影響を及ぼすこともあった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
第１開口部（１ａ）を有する地板（１）と、
前記第１開口部を開閉するよう移動可能に構成された第１羽根（４）と、
第２開口部（３ａ）を有し、前記地板とともに前記第１羽根（４）を挟む位置に配置された板部材（３）と、を備え、
前記板部材（３）の前記第１羽根側の面には凹凸加工が施されている、
フォーカルプレンシャッタである。
【０００７】
上記構成のフォーカルプレンシャッタによれば、板部材に凹凸加工が施されることで、板部材と第１羽根との接触面積を減少させ、板部材及び第１羽根の摩耗を抑制する構成にすることができる。また、板部材及び第１羽根の摩耗を抑制することで、板部材及び第１羽根の破損を防止したり、摩耗粉が飛散することを防止したりすることができる。
【０００８】
上記フォーカルプレンシャッタにおいて、好ましくは、
前記板部材（３）の前記第１羽根側の面には、メッキ処理、塗装処理、及びコーティング処理の少なくともいずれかが施されている。
【０００９】
上記構成のフォーカルプレンシャッタによれば、板部材及び第１羽根群が、より摩耗しづらい構成にすることができる。
【００１０】
また、上記フォーカルプレンシャッタにおいて、好ましくは、
前記板部材の前記第１羽根側の面には、メッキ処理として無電解ニッケルメッキ、またはＰＴＦＥ潤滑ニッケルメッキが施されている。
【００１１】
また、上記フォーカルプレンシャッタにおいて、好ましくは、
前記板部材の前記第１羽根側の面には、塗装処理としてフッ素系、グラファイト系、フェノール系、またはエポキシ系材料を用いた塗装が施されている。
【００１２】
また、上記フォーカルプレンシャッタにおいて、好ましくは、
前記板部材の前記第１羽根側の面には、コーティング処理としてＤＬＣコーティング、またはダイヤモンドコーティングが施されている。
【００１３】
上記のようなメッキ処理、塗装処理、及びコーティング処理を施された板部材を備えるフォーカルプレンシャッタを用いることで、板部材及び第１羽根が、さらに摩耗しづらい構成にすることができる。
【００１４】
また、上記フォーカルプレンシャッタにおいて、好ましくは、
前記第１開口部（１ａ）及び前記第２開口部（３ａ）を開閉するよう移動可能に構成された第２羽根（５）と、
第３開口部（２ａ）を有し、前記板部材（３）とともに前記第２羽根（５）を挟む位置に配置された補助地板（２）と、をさらに備え、
前記板部材（３）の前記第２羽根側の面には凹凸加工が施されている。
【００１５】
上記構成のフォーカルプレンシャッタによれば、板部材、第１羽根、及び第２羽根が摩耗しづらい構成にすることができる。
【００１６】
また、上記フォーカルプレンシャッタにおいて、好ましくは、
前記板部材の前記第２羽根側の面には、前記板部材の前記第１羽根側の面と同様のメッキ処理、塗装処理、及びコーティング処理の少なくともいずれかが施されている。
【００１７】
上記構成の撮像装置によれば、板部材、第１羽根、及び第２羽根が、いずれも摩耗しづらい構成にすることができる。
【００１８】
また、本発明は、上記いずれかのフォーカルプレンシャッタを備える、カメラなどの撮像装置を含む。
【００１９】
上記構成の撮像装置によれば、板部材、及び動作時に板部材に接する羽根が摩耗しづらい構成のフォーカルプレンシャッタを備えた構成にすることができる。これによって、耐久性が高く、発生する摩耗粉に起因して撮像した画像の品質が低下することを抑制した構成の撮像装置を構成することができる。
【図面の簡単な説明】
【００２０】
【図１】図１は、実施形態のフォーカルプレンシャッタにおいて羽根走行前の状態を示す平面図である。
【図２】図２は、実施形態のフォーカルプレンシャッタにおいて羽根走行後の状態を示す平面図である。
【図３】図３は、実施形態の中間板の平面図である。
【図４】図４は、実施形態の中間板の断面図である。
【発明を実施するための形態】
【００２１】
本発明に係る実施形態について、以下の構成に従って図面を参照しながら具体的に説明する。ただし、以下で説明する実施形態はあくまで本発明の一例に過ぎず、本発明の技術的範囲を限定的に解釈させるものではない。なお、各図面において、同一の構成要素には同一の符号を付しており、その説明を省略する場合がある。
１．実施形態
２．変形例
３．本発明の特徴
４．補足事項
【００２２】
＜１．実施形態＞
本実施形態のフォーカルプレンシャッタは、中間板の両面に凹凸加工が施されており、中間板と、先羽根及び後羽根との接触面積が従来構成よりも減少し、中間板と先羽根及び後羽根との摩擦が減少している点を特徴のひとつとしている。本実施形態のフォーカルプレンシャッタについて具体的に説明する。
【００２３】
図１及び図２は、本実施形態のフォーカルプレンシャッタの平面図である。図１は、羽根走行前の状態であって開口部が先羽根４により覆われた（遮蔽された）状態を示しており、図２は、羽根走行後の状態であって開口部が後羽根５により覆われた（遮蔽された）状態を示している。
【００２４】
図１及び図２に示されるように、本実施形態のフォーカルプレンシャッタは、地板１、補助地板２、中間板３、先羽根４、後羽根５、及び駆動機構部６などを含んで構成される。先羽根４及び後羽根５を「羽根」と総称することがある。
【００２５】
＜地板１＞
地板１は、フォーカルプレンシャッタの基板部分であって、露光開口（画枠）として機能する矩形状の開口部１ａが形成されている。地板１は、開口部１ａの側方部分に駆動機構部６が搭載される。
【００２６】
＜補助地板２＞
補助地板２は、地板１と対向する位置に、地板１に対して所定の間隔を隔てて配置される。補助地板には、地板１に形成された開口部１ａと類似した矩形状の開口部２ａが形成されている。
【００２７】
＜中間板３＞
中間板３は、上記のように、地板１と補助地板２との間に配置される。中間板３には、地板１に形成された開口部１ａ、及び補助地板２に形成された開口部２ａと類似した矩形状の開口部３ａが形成される。地板１と中間板３との間、及び補助地板２と中間板３との間には、先羽根４及び後羽根５のどちらかを収容する羽根室が形成される。なお、地板１と補助地板２との間を羽根室と称してもよい。本実施形態では、地板１と中間板３との間に先羽根４が配置され、補助地板２と中間板３との間に後羽根５が配置される構成例について説明するが、先羽根４及び後羽根５の配置は逆であってもよい。
【００２８】
図３は、中間板３の平面図である。図４は、中間板３の断面図である。図４に示されるように、中間板３の第１面３１と第２面３２との双方には凹凸加工が施されることで、繰り返しパターンの凹凸が形成されている。これらの凹凸は、中間板３に凹部（溝部分）を形成する加工を施されることで形成されており、凹部以外の部分を凸部と称することがある。中間板３に施された凹部は、例えば、光軸に垂直な方向に直線状かつ帯状に形成された複数の溝状部分であってもよいし、格子状に形成された個々が円形の溝状部分などであってもよい。また、中間板３は、格子状に形成された個々が円柱状の複数の凸部を有し、凸部以外の部分が凹部となる構成により凹凸が形成されていてもよい。中間板３の第１面３１は地板１と対向しており、第２面３２は補助地板２と対向している。中間板３の第１面３１では、凸部が先羽根４と接し、凹部は先羽根４と接することはない。第２面３２でも同様に凸部が後羽根５と接し、凹部は後羽根５と接することはない。なお、中間板３は、本発明の「板部材」の構成の一例である。
【００２９】
中間板３の凹凸加工が施された第１面３１及び第２面３２には、それぞれメッキ（鍍金）処理、塗装処理、及びコーティング処理が施される。メッキ処理としては、例えば、無電解ニッケルメッキ、またはＰＴＦＥ潤滑ニッケルメッキが施される。塗装処理としては、例えば、フッ素系、グラファイト系、フェノール系、またはエポキシ系材料を用いた塗装が施される。コーティング処理としては、例えば、ＤＬＣコーティング、またはダイヤモンドコーティングが施される。
【００３０】
なお、中間板３の第１面３１及び第２面３２には、加工の容易性の観点から、同様のメッキ処理、塗装処理、及びコーティング処理が施されることが好ましいが、異なる処理が施されていてもよい。
【００３１】
地板１の開口部１ａ、補助地板の開口部２ａ、及び中間板３の開口部３ａが光軸方向において重なる領域が、フォーカルプレンシャッタにおける露光用の開口として機能する露光開口（画枠）となる。露光開口の被写体とは逆側には、例えばＣ−ＭＯＳやＣＣＤなどの光電変換素子が撮像素子（図示省略）として配置されている。光電変換素子は、露光開口及びレンズ等を通過して被写体側から通過してきて光が照射されることで、光を電気信号に変換する機能を有する素子であるが、Ｃ−ＭＯＳやＣＣＤに限定されるものではない。
【００３２】
露光開口（画枠）は、駆動機構部６により駆動された先羽根４及び後羽根５が移動することで開閉状態が変化し、露光開口が開放状態のときに被写体側からの光を撮像素子側に通過させる。被写体側からこの露光開口を通過した入射光が、フォーカルプレンシャッタの先に配置された撮像素子に到達し、撮像素子が受光した光を電気信号に変換して制御部（図示省略）などに出力することで、撮像が行われる。なお、上記の撮像素子に代えてフィルムなどが配置されていてもよく、これらの撮像素子やフィルムなどを総称して本発明においては撮像部と呼ぶことがある。
【００３３】
＜先羽根４及び後羽根５＞
先羽根４及び後羽根５は、それぞれ駆動機構部６により駆動され、開口部１ａ、２ａ、及び３ａにより画定される露光開口（画枠）を開閉するよう動作する。先羽根４及び後羽根５は、それぞれ複数枚の短冊状（露光開口より長手方向に細長い矩形状または略矩形状）の羽根部材により構成され、アームを介して駆動機構部６に連結される。すなわち、駆動機構部６で発生した動力は、アームを介して先羽根４及び後羽根５に伝達され、これによって先羽根４及び後羽根５が走行動作をすることとなる。なお、先羽根４及び後羽根５は、それぞれ本発明の「第１羽根」及び「第２羽根」の構成の一例である。また、先羽根４及び後羽根５は、それぞれが複数の板部材で構成される場合には先羽根群または後羽根群と称してもよい。
【００３４】
＜駆動機構部６＞
駆動機構部６は、地板１上に配置され、電磁石、永久磁石、及びバネ等を利用した動力によって、先羽根４及び後羽根５を動作させるよう構成される。ユーザによって、カメラ等の撮像装置のレリーズが行われると、駆動機構部６が動作し、その動力はアームを介して先羽根４及び後羽根５に伝達される。これにより、先羽根４及び後羽根５が動作（走行）して撮像素子に対する露光が行われる。
【００３５】
＜２．変形例＞
次に、本発明の上記実施形態の変形例について説明する。以下の変形例では、上記実施形態に対する相違点についてのみを説明している。
【００３６】
実施形態では、先羽根４及び後羽根５を有する構成について説明したが、いずれか一方の羽根のみを有する構成としてもよい。この場合、中間板３または補助地板２を有さない構成となるが、羽根の動作時に羽根に接する板部材が、羽根と接する面に凹凸加工を有する構成を採用する。また、一方の羽根のみを有する構成とする場合、他方の羽根の動作を、撮像素子等の電子制御により行ってもよい。
【００３７】
また、実施形態では、先羽根４及び後羽根５がそれぞれ複数枚の羽根部材を有する構成について説明したが、先羽根４及び後羽根５は、それぞれが１枚の羽根によって構成されていてもよい。
【００３８】
また、実施形態では、メッキ処理、塗装処理、及びコーティング処理の具体例を挙げて説明したが、これらの処理はあくまで一例であってこれらに限定されるものではない。また、メッキ処理、塗装処理、及びコーティング処理は、それぞれ個別の処理である必要はなく、これらの処理の複数を兼ねる処理が施されてもよい。
【００３９】
＜３．本発明の特徴＞
本発明のフォーカルプレンシャッタは、地板１（または補助地板２）と、先羽根４及び後羽根５の少なくとも一方と、地板１（または補助地板２）とともに先羽根４または後羽根５を挟む位置に配置された中間板３とを備え、中間板３の先羽根４または後羽根５と対向する面に凹凸加工が施されている構成を特徴としている。このように、中間板３に凹凸加工が施されることで、中間板３と先羽根４または後羽根５との接触面積を減少させ、中間板３と先羽根４または後羽根５の摩耗を抑制する構成にすることができる。また、このように摩耗を抑制することで、中間板３及び先羽根４または後羽根５の破損を防止したり、摩耗粉が飛散することを防止したりすることができる。
【００４０】
本発明のフォーカルプレンシャッタは、上記構成において、中間板３が先羽根４または後羽根５と対向する凹凸加工が施された面に、メッキ処理、塗装処理、及びコーティング処理の少なくともいずれかが施されている構成とすることが好ましい。このような構成とすることで、中間板３及び先羽根４または後羽根５が、より摩耗しづらい構成にすることができる。
【００４１】
本発明のフォーカルプレンシャッタは、地板１、補助地板２、中間板３、先羽根４、及び後羽根５を有する構成とし、中間板３の双方の面に凹凸加工が施された構成とすることが好ましい。このような構成では、中間板３、先羽根４、及び後羽根５が摩耗しづらい構成とすることができる。
【００４２】
また、本発明は、上記のようなフォーカルプレンシャッタを含むデジタルカメラ、ビデオカメラ、及び監視カメラなどの撮像装置を含む。本発明のフォーカルプレンシャッタを含む撮像装置では、中間板３、先羽根４、及び後羽根５などが摩耗しづらいフォーカルプレンシャッタを採用しているため、耐久性が高く、発生する摩耗粉に起因して撮像した画像の品質が低下することを抑制した構成の撮像装置を構成することができる。
【００４３】
＜４．補足事項＞
以上、本発明の実施形態についての具体的な説明を行った。上記説明は、あくまで一実施形態としての説明であって、本発明の範囲はこの一実施形態に留まらず、同様の技術思想に基づいて当業者が把握可能な範囲にまで広く解釈されるものである。
【産業上の利用可能性】
【００４４】
本発明のフォーカルプレンシャッタは、高い耐久性を備えるカメラなどの撮像装置の構成として好適に利用される。
【符号の説明】
【００４５】
１…地板
１ａ…開口部
２…補助地板
２ａ…開口部
３…中間板
３ａ…開口部
４…先羽根
５…後羽根
６…駆動機構部
【図１】
2018200448.tif 000003
【図２】
2018200448.tif 000004
【図３】
2018200448.tif 000005
【図４】
2018200448.tif 000006